(57)【要約】【課題】ヘッドホンが脱着される際に起き得るヘッドホンや音声再生装置の破損、およびユーザの耳へのダメージや不快感を回避する。【解決手段】接続検出回路２においてヘッドホン接続端子１にヘッドホンプラグ１０が接続されているか否かを検出し、人体検出部３においてヘッドホン接続端子１から所定の距離内に人体が存在するか否かを検出し、ヘッドホンプラグ１０の接続が検出されない場合、またはヘッドホン接続端子１から所定の距離内に人体の存在が検出された場合は、電子ボリューム７により音声をミュートする。【選択図】図１
2008066842.tif 000002
【特許請求の範囲】
【請求項１】
音源からの音声信号をプラグを介してヘッドホンに供給して音声再生する音声再生装置であって、
前記プラグが接続され、前記音声信号を前記ヘッドホンに供給するヘッドホン接続端子と、
このヘッドホン接続端子に前記プラグが接続されているか否かを検出する接続検出手段と、
前記ヘッドホン接続端子から所定の距離内における人体の存在を検出する人体検出手段と、
前記ヘッドホン接続端子から出力される出力音量を調整する音量調整手段と、
前記接続検出手段により前記プラグの接続が検出され、かつ前記人体検出手段により前記ヘッドホン接続端子から所定の距離内における人体の存在が検出されない場合は、出力音量を予め設定された第１の音量以上の音量で出力し、前記接続検出手段により前記プラグの接続が検出されない場合、または前記人体検出手段により前記ヘッドホン接続端子から所定の距離内における人体の存在が検出された場合は、出力音量を前記第１の音量より小さい第２の音量に低下させるように前記音量調整手段を制御する制御手段と
を備えることを特徴とする音声再生装置。
【請求項２】
前記制御手段は、出力音量を前記第２の音量に低下させる際、および低下させた出力音量を前記第１の音量以上の音量に復帰させる際には、出力音量を漸次的に変化させるように前記音量調整手段を制御することを特徴とする請求項１に記載の音声再生装置。
【請求項３】
前記接続検出手段により前記プラグの接続が検出されない場合、または前記人体検出手段により前記ヘッドホン接続端子から所定の距離内における人体の存在が検出された場合において、出力音量を前記第１の音量より低下させている状態であることを示す表示を行う表示手段をさらに備えることを特徴とする請求項１または２に記載の音声再生装置。
【発明の詳細な説明】
【技術分野】
【０００１】
本発明は、ヘッドホンを利用して音声を再生する音声再生装置に関する。
【背景技術】
【０００２】
従来、不特定多数の人が集まる場所、例えばＣＤショップなどに販売促進用として関心を持った人が好みの映像や音声を再生できる、いわゆる試聴器が実用化されている。通常、このような試聴器として用いられる音声再生装置においては、音声はヘッドホンにて再生されており、このヘッドホンは店舗側で準備し、据え付けられたものであることが多い（例えば、特許文献１参照）。
【０００３】
また、従来、音声を再生する装置の近くに人が居るかどうかを検出し、人が近くに居るときは音声を出力し、人が離れると音声の出力を停止する技術が開示されている（例えば、特許文献２参照）。
【特許文献１】特開２００１−１８９９００号公報
【特許文献２】実開平７−４２２６５号公報
【発明の開示】
【発明が解決しようとする課題】
【０００４】
従来の試聴器においては、店舗で準備されたヘッドホンを不特定多数の人が使用するため、このヘッドホンを装着することを嫌う人も多い。また、最近では、個人でヘッドホンを所有、携帯することが多くなったため、個人所有のヘッドホンを試聴器（音声再生装置）に接続して試聴することが考えられる。
【０００５】
このような場合において、試聴する人が入れ替わることにより別の人がヘッドホンを接続したとき、音量等は前に試聴を行った人の設定が残っているため、ヘッドホンを接続した瞬間に大音量が再生されることがある。このため、ヘッドホンや音声再生装置が破損するおそれがあり、また、ユーザの耳にダメージや不快感を与えるおそれがあるという問題があった。
【０００６】
また、特許文献２に開示された技術においては、人が装置に接近すると突然音声が出力されるため、ユーザに不快感を与えるおそれがあった。
【０００７】
本発明は上記に鑑みてなされたもので、ヘッドホンが脱着される際に起き得るヘッドホンや自装置の破損、およびユーザの耳へのダメージや不快感を回避することができる音声再生装置を提供することを目的とする。
【課題を解決するための手段】
【０００８】
上記目的を達成するため、本発明の音声再生装置は、音源からの音声信号をプラグを介してヘッドホンに供給して音声再生する音声再生装置であって、前記プラグが接続され、前記音声信号を前記ヘッドホンに供給するヘッドホン接続端子と、このヘッドホン接続端子に前記プラグが接続されているか否かを検出する接続検出手段と、前記ヘッドホン接続端子から所定の距離内における人体の存在を検出する人体検出手段と、前記ヘッドホン接続端子から出力される出力音量を調整する音量調整手段と、前記接続検出手段により前記プラグの接続が検出され、かつ前記人体検出手段により前記ヘッドホン接続端子から所定の距離内における人体の存在が検出されない場合は、出力音量を予め設定された第１の音量以上の音量で出力し、前記接続検出手段により前記プラグの接続が検出されない場合、または前記人体検出手段により前記ヘッドホン接続端子から所定の距離内における人体の存在が検出された場合は、出力音量を前記第１の音量より小さい第２の音量に低下させるように前記音量調整手段を制御する制御手段とを備えることを特徴とする。
【０００９】
また、本発明の音声再生装置は、前記制御手段は、出力音量を前記第２の音量に低下させる際、および低下させた出力音量を前記第１の音量以上の音量に復帰させる際には、出力音量を漸次的に変化させるように前記音量調整手段を制御することを特徴とする。
【００１０】
また、本発明の音声再生装置は、前記接続検出手段により前記プラグの接続が検出されない場合、または前記人体検出手段により前記ヘッドホン接続端子から所定の距離内における人体の存在が検出された場合において、出力音量を前記第１の音量より低下させている状態であることを示す表示を行う表示手段をさらに備えることを特徴とする。
【発明の効果】
【００１１】
本発明の音声再生装置によれば、ヘッドホン接続端子にプラグが接続されているか否か、およびヘッドホン接続端子から所定の距離内に人体が存在するか否かを検出し、プラグの接続が検出されない場合、またはヘッドホン接続端子から所定の距離内に人体の存在が検出された場合は、音量を低下させるため、ヘッドホンのプラグが脱着される際に起き得るヘッドホンや自装置の破損、およびユーザの耳へのダメージや不快感を回避することができる。
【発明を実施するための最良の形態】
【００１２】
以下、本発明の音声再生装置を実施するための最良の形態について、図面を参照して説明する。
【００１３】
図１は本発明の実施の形態に係る音声再生装置の構成を示すブロック図である。図１に示すように本実施の形態に係る音声再生装置は、ヘッドホン接続端子１と、接続検出回路２と、人体検出部３と、ＡＮＤ回路４と、制御回路５と、消音電圧発生回路６と、電子ボリューム７と、音声増幅回路８とを備える。
【００１４】
以下の説明において、ヘッドホンは、左耳用および右耳用のドライバをバンドで連絡し頭部に装着するものに限らず、左耳用と右耳用とが分離してそれぞれの耳に装着する、いわゆるイヤホンタイプのものも含む。また、いずれかの耳にのみ装着するものでもよい。
【００１５】
ヘッドホン接続端子１は、図示しないヘッドホンに接続されたヘッドホンプラグ１０が挿入可能になっており、ヘッドホンプラグ１０を介して音声信号をヘッドホンに供給する。
【００１６】
接続検出回路２は、ヘッドホン接続端子１にヘッドホンプラグ１０が挿入されているか否かを検出する。接続検出回路２は、ヘッドホンプラグ１０が挿入されているときは論理「１」を出力し、挿入されていないときは論理「０」を出力する。
【００１７】
人体検出部３は、焦電型赤外線センサ３１と、増幅回路３２と、コンパレータ回路３３とを備える。焦電型赤外線センサ３１は、ヘッドホン接続端子１の近傍に設置され、ヘッドホンプラグ１０の抜き差しをしようとする人の手（指を含む）から放射される赤外線を検出して信号を出力する。
【００１８】
増幅回路３２は、焦電型赤外線センサ３１からの出力信号を増幅する。また、増幅回路３２は、焦電型赤外線センサ３１からの出力信号に含まれる不要なノイズ等の信号成分を除去するフィルタ回路としても機能する。
【００１９】
コンパレータ回路３３は、増幅回路３２からの出力信号と所定の基準電圧とを比較し、増幅回路３２からの出力信号が所定の基準電圧以下のときは、論理「１」を出力し、所定の基準電圧を超えるときは、論理「０」を出力する。ここで、コンパレータ回路３３における基準電圧は、人の手がヘッドホン接続端子１から所定の距離内に入っているときに増幅回路３２からの出力信号が基準電圧を超え、所定の距離内に入っていないときに増幅回路３２からの出力信号が基準電圧以下となるように設定される。
【００２０】
ＡＮＤ回路４の入力の一端側はヘッドホン接続端子１に接続され、他端側はコンパレータ回路３３に接続されている。ＡＮＤ回路４は、ヘッドホン接続端子１の論理出力とコンパレータ回路３３の論理出力とがともに「１」である場合、論理「１」を出力し、その他の場合は論理「０」を出力する。
【００２１】
制御回路５は、ＡＮＤ回路４からの論理出力に基づいて、音量制御データを生成する。消音電圧発生回路６は、制御回路５で生成された音量制御データをＤ／Ａ変換して音量制御電圧を生成する。
【００２２】
電子ボリューム７は、消音電圧発生回路６で生成された音量制御電圧に基づいて、音源９から供給される左右チャンネルの音声信号の音量を調整する。音声増幅回路８は、電子ボリューム７で音量調整された左右チャンネルの音声信号を増幅してヘッドホン接続端子１に供給する。
【００２３】
次に、本実施の形態に係る音声再生装置の動作を説明する。
【００２４】
まず、ヘッドホン接続端子１にヘッドホンプラグ１０が挿入され、通常の再生が行われている状態では、音源９から供給される左右チャンネルの音声信号は、電子ボリューム７で予め設定された音量、あるいは、ユーザにより設定された所望の音量に調整され、音声増幅回路８で増幅されてヘッドホン接続端子１に供給される。そして、音声信号はヘッドホン接続端子１に挿入されたヘッドホンプラグ１０からヘッドホンに供給され、ヘッドホンで音声として出力される。また、ヘッドホン接続端子１にヘッドホンプラグ１０が挿入されているので、接続検出回路２の論理出力は「１」となる。
【００２５】
この状態で、焦電型赤外線センサ３１は、人体から放射される赤外線を検出すると信号を出力する。焦電型赤外線センサ３１の出力信号は微弱な信号であり、また、不要なノイズ等の高周波帯域の信号成分も含まれているので、増幅回路３２において、焦電型赤外線センサ３１の出力信号を増幅し、不要なノイズ等の信号成分を除去するフィルタリング処理を行う。
【００２６】
そして、コンパレータ回路３３は、増幅回路３２からの出力信号と所定の基準電圧とを比較し、増幅回路３２からの出力信号が所定の基準電圧以下のときは、論理「１」を出力し、所定の基準電圧を超えるときは、論理「０」を出力する。コンパレータ回路３３の論理出力が「０」となるのは、人体（手）がヘッドホン接続端子１から所定の距離内に入っているときであり、この場合ユーザがヘッドホンプラグ１０を抜き差しする可能性がある。コンパレータ回路３３の論理出力が「１」となるのは、人体（手）がヘッドホン接続端子１から所定の距離内に入っていないときであり、この場合ユーザがヘッドホンプラグ１０を抜き差しする可能性は低い。
【００２７】
人体（手）がヘッドホン接続端子１から所定の距離内に接近し、コンパレータ回路３３の論理出力が「０」になったとすると、ＡＮＤ回路４は論理「０」を制御回路５に出力する。ＡＮＤ回路４から論理「０」が入力されると、制御回路５は、ソフトミュートデータを生成し、消音電圧発生回路６に出力する。消音電圧発生回路６は、制御回路５からのソフトミュートデータをＤ／Ａ変換して音量制御電圧を生成し、電子ボリューム７に供給する。そして、電子ボリューム７は、消音電圧発生回路６からの音量制御電圧に基づいて、音源９から供給される左右チャンネルの音声信号の音量を徐々に下げ、所定時間後に消音（ミュート）するように音量調整を行う。
【００２８】
図２は音量制御シーケンスを示す図である。時刻Ｔ１において人体（手）の接近を検知したとすると、上述のように電子ボリューム７により音量を徐々に下げるソフトミュート処理を行い、所定時間後の時刻Ｔ２に消音する。
【００２９】
その後、時刻Ｔ３においてヘッドホンプラグ１０がヘッドホン接続端子１から抜かれたとする。この場合、接続検出回路２は論理「０」をＡＮＤ回路４に出力し、ＡＮＤ回路４の論理出力は「０」である。さらにその後、時刻Ｔ４においてヘッドホンプラグ１０がヘッドホン接続端子１に挿入されたとすると、接続検出回路２は論理「１」をＡＮＤ回路４に出力する。
【００３０】
時刻Ｔ４においては、ヘッドホンプラグ１０を挿入するためにユーザの手がヘッドホン接続端子１に接近しているため、コンパレータ回路３３の論理出力およびＡＮＤ回路４の論理出力は「０」になる。そして、ヘッドホンプラグ１０の挿入後、時刻Ｔ５において、ユーザの手がヘッドホン接続端子１から所定の距離外に遠ざかったとすると、コンパレータ回路３３の論理出力が「１」になるため、ＡＮＤ回路４の論理出力は「１」になる。
【００３１】
時刻Ｔ３から時刻Ｔ５までの間においては、ＡＮＤ回路４の論理出力は「０」であるため、制御回路５は、音量を消音のままとするように、音量制御データを消音電圧発生回路６に出力する。消音電圧発生回路６は、制御回路５からの音量制御データをＤ／Ａ変換して音量制御電圧を生成し、電子ボリューム７に供給する。そして、電子ボリューム７は、消音電圧発生回路６からの音量制御電圧に基づいて、音量を消音のままとするように音量調整を行う。
【００３２】
そして、時刻Ｔ５においてＡＮＤ回路４から論理「１」が入力されると、制御回路５は、ソフトミュートデータを生成し、消音電圧発生回路６に出力する。消音電圧発生回路６は、制御回路５からのソフトミュートデータをＤ／Ａ変換して音量制御電圧を生成し、電子ボリューム７に供給する。そして、電子ボリューム７は、消音電圧発生回路６からの音量制御電圧に基づいて、音源９から供給される左右チャンネルの音声信号の音量を徐々に上げ、所定時間後の時刻Ｔ６に元の音量に復帰するように音量調整を行う。
【００３３】
ここで、接続検出回路２の出力、コンパレータ回路３３の出力、ＡＮＤ回路４の出力、音声出力の関係をまとめて表１に示す。
【表１】
2008066842.tif 000003
【００３４】
状態Ａ，Ｂの場合、ヘッドホン接続端子１から所定の距離内に人体（手）があるため、ヘッドホンプラグ１０を抜き差しする可能性があるので、ＡＮＤ回路４の出力は「０」となり、電子ボリューム７により音声をミュートする。
【００３５】
状態Ｃの場合、ヘッドホン接続端子１にヘッドホンプラグ１０が接続されていないため、ＡＮＤ回路４の出力は「０」となり、電子ボリューム７により音声をミュートする。
【００３６】
状態Ｄの場合、ヘッドホン接続端子１から所定の距離内に人体（手）はなく、ヘッドホンプラグ１０の抜き差しの可能性は低く、かつヘッドホンプラグ１０が接続されているため、ＡＮＤ回路４の出力は「１」となり、電子ボリューム７により予め設定された音量に調整された音声信号をヘッドホン接続端子１に出力する。
【００３７】
このように本実施の形態の音声再生装置によれば、接続検出回路２においてヘッドホン接続端子１にヘッドホンプラグ１０が接続されているか否かを検出し、人体検出部３においてヘッドホン接続端子１から所定の距離内に人体が存在するか否かを検出し、ヘッドホンプラグ１０の接続が検出されない場合、またはヘッドホン接続端子１から所定の距離内に人体の存在が検出された場合は、音声をミュートするので、ヘッドホンプラグ１０を接続した瞬間に大音量が再生されること等によるヘッドホンや自装置の破損、およびユーザの耳へのダメージや不快感を回避することができる。
【００３８】
また、ミュート状態に移行する場合およびミュート状態から解除する場合には、音量を徐々に変化させるソフトミュート処理を行うので、ユーザに違和感を与えることなくミュート状態への移行およびミュート状態からの解除を行うことができる。
【００３９】
（変形例１）
図３は本発明の実施の形態に係る音声再生装置の変形例１の構成を示すブロック図である。図３に示すように変形例１の音声再生装置は、図１に示す音声再生装置に対し、ＬＥＤドライブ回路１１と、ＬＥＤランプ１２とを追加した構成である。ＬＥＤドライブ回路１１は、ＡＮＤ回路４の出力端に接続され、ＡＮＤ回路４の出力に基づいて、ＬＥＤランプを点灯、消灯させる。
【００４０】
上記実施の形態で説明した状態Ａ〜Ｃのように音声ミュートの状態では、ＡＮＤ回路４の出力は「０」である。この場合、ＬＥＤドライブ回路１１は、ＬＥＤランプ１２を点灯させる。また状態Ｄのように音声が出力されている状態では、ＡＮＤ回路４の出力は「１」である。この場合、ＬＥＤドライブ回路１１は、ＬＥＤランプ１２を消灯させる。
【００４１】
このようにミュート中にＬＥＤランプ１２を点灯させることで、安心してヘッドホンプラグ１０の抜き差しができることをユーザに知らせることができる。
【００４２】
なお、ＬＥＤランプ１２の近傍には「ランプ点灯時は音声がミュートされています」などの表示があるとより分かりやすい。また、ＬＥＤランプ１２の点灯、消灯の論理をＬＥＤドライブ回路１１にて反転させてもよい。つまり、ＡＮＤ回路４の出力が「１」のときにＬＥＤランプ１２を点灯させ、ＡＮＤ回路４の出力が「０」のときにＬＥＤランプ１２を消灯させるようにしてもよい。この場合の表示は、例えば「ランプ消灯中は音声がミュートされています」などとなる。
【００４３】
（変形例２）
図４は本発明の実施の形態に係る音声再生装置の変形例２の構成を示すブロック図、図５は本発明の実施の形態に係る音声再生装置の変形例２の外観図である。図４に示すように変形例２の音声再生装置は、図１に示す音声再生装置に対し、画像出力回路１３と、画像合成回路１４と、画像表示部１５とを追加した構成である。
【００４４】
画像出力回路１３は、再生している音声に合わせた画像、あるいは再生しているコンテンツに関する情報などの画像信号を出力する。画像合成回路１４は、ＡＮＤ回路４の出力端および画像合成回路１４に接続され、ＡＮＤ回路４の出力に基づいて、ユーザに音声出力の状態を知らせるための文字情報を画像出力回路１３からの画像信号に合成して出力する。この文字情報は、図示しない外部メモリから読み込んでもよいし、画像合成回路１４の内部に記録しておいてもよい。画像表示部１５は、画像合成回路１４で文字情報が合成された画像信号を表示する。
【００４５】
上記実施の形態で説明した状態Ｄのとき、ＡＮＤ回路４の出力は「１」である。この場合、画像合成回路１４は、画像出力回路１３からの画像信号をそのまま画像表示部１５に出力する。
【００４６】
状態Ａ〜Ｃのように音声ミュートの状態では、ＡＮＤ回路４の出力は「０」である。この場合、画像合成回路１４は、例えば図５に示すように、「音声はミュートしています。ヘッドホンの抜き差しができます。」などの文字情報を画像出力回路１３からの画像信号に合成して、画像表示部１５に出力する。
【００４７】
このようにミュート中に文字情報を表示させることで、安心してヘッドホンプラグ１０の抜き差しができることを、より分かりやすくユーザに知らせることができる。
【００４８】
なお、画像合成回路１４で合成する信号は、文字情報ではなくアニメのようなものでもよい。また、図５に示すように、変形例１と併用して、画像表示部１５とＬＥＤランプ１２とをともに設けてもよい。
【００４９】
以上の説明において、ミュートは、完全に消音した出力音量がゼロであるが、完全にゼロではなく、破損や不快感が生じない程度に予め設定されたミュートの基準となるミュート基準音量より小さい音量とするものを含む。
【産業上の利用可能性】
【００５０】
本発明は、ヘッドホン接続端子が装備されている機器全般に適用できる。
【図面の簡単な説明】
【００５１】
【図１】本発明の実施の形態に係る音声再生装置の構成を示すブロック図である。
【図２】音量制御シーケンスを示す図である。
【図３】本発明の実施の形態に係る音声再生装置の変形例１の構成を示すブロック図である。
【図４】本発明の実施の形態に係る音声再生装置の変形例２の構成を示すブロック図である。
【図５】本発明の実施の形態に係る音声再生装置の変形例２の外観図である。
【符号の説明】
【００５２】
１  ヘッドホン接続端子
２  接続検出回路
３  人体検出部
４  ＡＮＤ回路
５  制御回路
６  消音電圧発生回路
７  電子ボリューム
８  音声増幅回路
９  音源
１０  ヘッドホンプラグ
１１  ＬＥＤドライブ回路
１２  ＬＥＤランプ
１３  画像出力回路
１４  画像合成回路
１５  画像表示部
３１  焦電型赤外線センサ
３２  増幅回路
３３  コンパレータ回路
【図１】
2008066842.tif 000004
【図２】
2008066842.tif 000005
【図３】
2008066842.tif 000006
【図４】
2008066842.tif 000007
【図５】
2008066842.tif 000008